(57)【要約】【課題】所望の画像データにより忠実な表示を行うことができる技術を提供する。【解決手段】本発明の画像表示装置は、発光手段と、表示画像データから複数のサブ画像データを生成する生成手段と、発光手段からの光をサブ画像データに基づく透過率で透過することにより、当該サブ画像データに基づく画像を画面に表示する表示手段と、発光手段の発光色を制御する制御手段と、を有し、表示画像データの複数の画素のそれぞれは第１サブピクセルと第２サブピクセルを有し、生成手段は、第１サブ画像データと第２サブ画像データを生成し、表示手段は、第１サブ画像データと第２サブ画像データを順に表示し、制御手段は、表示手段が第１サブ画像データを表示する際に、発光色を第１の色に制御し、表示手段が第２サブ画像データを表示する際に、発光色を第２の色に制御する。【選択図】図１
2017102241.tif 000002
【特許請求の範囲】
【請求項１】
発光手段と、
表示画像データから複数のサブ画像データを生成する生成手段と、
前記発光手段からの光を前記サブ画像データに基づく透過率で透過することにより、当該サブ画像データに基づく画像を画面に表示する表示手段と、
前記発光手段の発光色を制御する制御手段と、
を有し、
前記表示画像データの複数の画素のそれぞれは、第１の色を有する第１サブピクセルと、前記第１の色とは異なる第２の色を有する第２サブピクセルとを有し、
前記表示手段は、前記表示画像データの複数の第１サブピクセルに対応する複数の第１表示素子と、前記表示画像データの複数の第２サブピクセルに対応する複数の第２表示素子とを有し、
前記生成手段は、
各第１サブピクセルの階調値が前記表示画像データの階調値と略同一であり、且つ、各第２サブピクセルの階調値が、周囲の第１サブピクセルの階調値の最大値と、周囲の第１サブピクセルの階調値の最小値との間の値である画像データを、第１サブ画像データとして生成し、
各第２サブピクセルの階調値が前記表示画像データの階調値と略同一であり、且つ、各第１サブピクセルの階調値が、周囲の第２サブピクセルの階調値の最大値と、周囲の第２サブピクセルの階調値の最小値との間の値である画像データを、第２サブ画像データとして生成し、
前記表示手段は、前記第１サブ画像データに基づく画像と、前記第２サブ画像データに基づく画像とを順に表示し、
前記制御手段は、
前記表示手段が前記第１サブ画像データに基づく画像を表示する際に、前記発光手段の発光色を前記第１の色に制御し、
前記表示手段が前記第２サブ画像データに基づく画像を表示する際に、前記発光手段の発光色を前記第２の色に制御する
ことを特徴とする画像表示装置。
【請求項２】
前記第１表示素子は、当該第１表示素子に対応する第１サブピクセルの階調値に応じた透過率で前記発光手段からの前記第１の色の光を透過し、
前記第２表示素子は、当該第２表示素子に対応する第２サブピクセルの階調値に応じた透過率で前記発光手段からの前記第２の色の光を透過する
ことを特徴とする請求項１に記載の画像表示装置。
【請求項３】
前記生成手段は、
各第２サブピクセルの階調値が周囲の第１サブピクセルの階調値の平均値である画像データを、前記第１サブ画像データとして生成し、
各第１サブピクセルの階調値が周囲の第２サブピクセルの階調値の平均値である画像データを、前記第２サブ画像データとして生成する
ことを特徴とする請求項１または２に記載の画像表示装置。
【請求項４】
前記第１サブピクセルの周囲の第２サブピクセルは、所定方向において当該第１サブピクセルに対応する第１表示素子を挟んで隣り合う２つの第２表示素子に対応する２つの第２サブピクセルであり、
前記第２サブピクセルの周囲の第１サブピクセルは、前記所定方向において当該第２サブピクセルに対応する第２表示素子を挟んで隣り合う２つの第１表示素子に対応する２つの第１サブピクセルである
ことを特徴とする請求項１〜３のいずれか１項に記載の画像表示装置。
【請求項５】
前記複数の第１サブピクセルのそれぞれについて、その第１サブピクセルの前記表示画像データの階調値と、周囲の第１サブピクセルの前記表示画像データの階調値との差が第１閾値以下になり、且つ、
前記複数の第２サブピクセルのそれぞれについて、その第２サブピクセルの前記表示画像データの階調値と、周囲の第２サブピクセルの前記表示画像データの階調値との差が第２閾値以下になるように、
前記表示画像データを補正する補正手段、をさらに有し、
前記生成手段は、前記補正手段による補正後の表示画像データから、前記複数のサブ画像データを生成し、
前記制御手段は、前記補正手段による補正に起因した前記画面上の輝度の低下が抑制されるように、前記発光手段の発光輝度を高める
ことを特徴とする請求項１〜４のいずれか１項に記載の画像表示装置。
【請求項６】
前記補正手段は、
前記第１サブピクセルの前記表示画像データの階調値と、周囲の第１サブピクセルの前記表示画像データの階調値との差の最大値に基づいて、第１の係数を決定し、
各第１サブピクセルの前記表示画像データの階調値に前記第１の係数を乗算し、
前記第２サブピクセルの前記表示画像データの階調値と、周囲の第２サブピクセルの前記表示画像データの階調値との差の最大値に基づいて、第２の係数を決定し、
各第２サブピクセルの前記表示画像データの階調値に前記第２の係数を乗算し、
前記制御手段は、
前記発光手段の発光色を前記第１の色に制御する際に、前記発光手段の発光輝度を、基準輝度に前記第１の係数の逆数を乗算した発光輝度に制御し、
前記発光手段の発光色を前記第２の色に制御する際に、前記発光手段の発光輝度を、前記基準輝度に前記第２の係数の逆数を乗算した発光輝度に制御する
ことを特徴とする請求項５に記載の画像表示装置。
【請求項７】
前記第１サブピクセルと周囲の第１サブピクセルとは、所定方向において隣り合う２つの画素が有する２つの第１サブピクセルであり、
前記第２サブピクセルと周囲の第２サブピクセルとは、前記所定方向において隣り合う２つの画素が有する２つの第２サブピクセルである
ことを特徴とする請求項５または６に記載の画像表示装置。
【請求項８】
発光手段と、
前記発光手段からの光を画像データに基づく透過率で透過することにより、当該画像データに基づく画像を画面に表示する表示手段と、
を有する画像表示装置の制御方法であって、
表示画像データから複数のサブ画像データを生成する生成ステップと、
前記発光手段の発光色を制御する制御ステップと、
を有し、
前記表示画像データの複数の画素のそれぞれは、第１の色を有する第１サブピクセルと、前記第１の色とは異なる第２の色を有する第２サブピクセルとを有し、
前記表示手段は、
前記表示画像データの複数の第１サブピクセルに対応する複数の第１表示素子と、前記表示画像データの複数の第２サブピクセルに対応する複数の第２表示素子とを有し、
前記発光手段からの光を前記サブ画像データに基づく透過率で透過することにより、当該サブ画像データに基づく画像を前記画面に表示し、
前記生成ステップでは、
各第１サブピクセルの階調値が前記表示画像データの階調値と略同一であり、且つ、各第２サブピクセルの階調値が、周囲の第１サブピクセルの階調値の最大値と、周囲の第１サブピクセルの階調値の最小値との間の値である画像データを、第１サブ画像データとして生成し、
各第２サブピクセルの階調値が前記表示画像データの階調値と略同一であり、且つ、各第１サブピクセルの階調値が、周囲の第２サブピクセルの階調値の最大値と、周囲の第２サブピクセルの階調値の最小値との間の値である画像データを、第２サブ画像データとして生成し、
前記表示手段は、前記第１サブ画像データに基づく画像と、前記第２サブ画像データに基づく画像とを順に表示し、
前記制御ステップでは、
前記表示手段が前記第１サブ画像データに基づく画像を表示する際に、前記発光手段の発光色を前記第１の色に制御し、
前記表示手段が前記第２サブ画像データに基づく画像を表示する際に、前記発光手段の発光色を前記第２の色に制御する
ことを特徴とする画像表示装置の制御方法。
【請求項９】
前記第１表示素子は、当該第１表示素子に対応する第１サブピクセルの階調値に応じた透過率で前記発光手段からの前記第１の色の光を透過し、
前記第２表示素子は、当該第２表示素子に対応する第２サブピクセルの階調値に応じた透過率で前記発光手段からの前記第２の色の光を透過する
ことを特徴とする請求項８に記載の画像表示装置の制御方法。
【請求項１０】
前記生成ステップでは、
各第２サブピクセルの階調値が周囲の第１サブピクセルの階調値の平均値である画像データを、前記第１サブ画像データとして生成し、
各第１サブピクセルの階調値が周囲の第２サブピクセルの階調値の平均値である画像データを、前記第２サブ画像データとして生成する
ことを特徴とする請求項８または９に記載の画像表示装置の制御方法。
【請求項１１】
前記第１サブピクセルの周囲の第２サブピクセルは、所定方向において当該第１サブピクセルに対応する第１表示素子を挟んで隣り合う２つの第２表示素子に対応する２つの第２サブピクセルであり、
前記第２サブピクセルの周囲の第１サブピクセルは、前記所定方向において当該第２サブピクセルに対応する第２表示素子を挟んで隣り合う２つの第１表示素子に対応する２つの第１サブピクセルである
ことを特徴とする請求項８〜１０のいずれか１項に記載の画像表示装置の制御方法。
【請求項１２】
前記複数の第１サブピクセルのそれぞれについて、その第１サブピクセルの前記表示画像データの階調値と、周囲の第１サブピクセルの前記表示画像データの階調値との差が第１閾値以下になり、且つ、
前記複数の第２サブピクセルのそれぞれについて、その第２サブピクセルの前記表示画像データの階調値と、周囲の第２サブピクセルの前記表示画像データの階調値との差が第２閾値以下になるように、
前記表示画像データを補正する補正ステップ、をさらに有し、
前記生成ステップでは、前記補正ステップによる補正後の表示画像データから、前記複数のサブ画像データを生成し、
前記制御ステップでは、前記補正ステップによる補正に起因した前記画面上の輝度の低下が抑制されるように、前記発光手段の発光輝度を高める
ことを特徴とする請求項８〜１１のいずれか１項に記載の画像表示装置の制御方法。
【請求項１３】
前記補正ステップでは、
前記第１サブピクセルの前記表示画像データの階調値と、周囲の第１サブピクセルの前記表示画像データの階調値との差の最大値に基づいて、第１の係数を決定し、
各第１サブピクセルの前記表示画像データの階調値に前記第１の係数を乗算し、
前記第２サブピクセルの前記表示画像データの階調値と、周囲の第２サブピクセルの前記表示画像データの階調値との差の最大値に基づいて、第２の係数を決定し、
各第２サブピクセルの前記表示画像データの階調値に前記第２の係数を乗算し、
前記制御ステップでは、
前記発光手段の発光色を前記第１の色に制御する際に、前記発光手段の発光輝度を、基準輝度に前記第１の係数の逆数を乗算した発光輝度に制御し、
前記発光手段の発光色を前記第２の色に制御する際に、前記発光手段の発光輝度を、前記基準輝度に前記第２の係数の逆数を乗算した発光輝度に制御する
ことを特徴とする請求項１２に記載の画像表示装置の制御方法。
【請求項１４】
前記第１サブピクセルと周囲の第１サブピクセルとは、所定方向において隣り合う２つの画素が有する２つの第１サブピクセルであり、
前記第２サブピクセルと周囲の第２サブピクセルとは、前記所定方向において隣り合う２つの画素が有する２つの第２サブピクセルである
ことを特徴とする請求項１２または１３に記載の画像表示装置の制御方法。
【請求項１５】
請求項８〜１４のいずれか１項に記載の制御方法の各ステップをコンピュータに実行させることを特徴とするプログラム。
【発明の詳細な説明】
【技術分野】
【０００１】
本発明は、画像表示装置、画像表示装置の制御方法、及び、プログラムに関する。
【背景技術】
【０００２】
液晶パネルとバックライトモジュールを有する液晶表示装置が知られている。液晶パネルが有する複数の表示素子のそれぞれは、向かい合った一対の電極Ａ，Ｂと、一対の電極Ａ，Ｂに挟まれた液晶とを有する。各表示素子の電極Ａの電位は、複数の表示素子の間で共通の電位（コモン電位）に制御される。そして、複数の表示素子のそれぞれについて、電極Ｂの電位が個別に制御されることにより、一対の電極Ａ，Ｂの間に印加される電圧が個別に制御される。そして、表示素子の一対の電極Ａ，Ｂの間に印加される電圧が制御されることにより、当該表示素子の液晶の配向が制御され、当該表示素子の透過率が制御される。すなわち、表示素子の透過率は、当該表示素子の一対の電極Ａ，Ｂの間に発生する電界によって制御される。ここで、「透過率」は、バックライトモジュールからの光が表示素子を通過する際の透過率を意味する。
【０００３】
液晶パネルでは、小型化と、表示画像（画面に表示された画像）の高精細化とのために、表示素子間の距離が短縮されている。表示素子間の距離の短縮により、互いに隣接する表示素子間に発生する電界の強度が増し、液晶の配向の乱れ（ディスクリネーション）が発生する。そして、ディスクリネーションの発生により、表示素子の透過率が変化し、表示画像の画質の劣化が生じる。
【０００４】
ディスクリネーションの発生を抑制する従来技術として、特許文献１に記載の技術が提案されている。特許文献１に記載の技術では、表示素子の電極間に印加する電圧と、当該表示素子に隣接する表示素子の電極間に印加する電圧との差（電圧差）が判断される。そして、電圧差が基準値以上である場合に、電圧差が基準値以下になるように、表示素子（表示素子の電極間）に印加する電圧が補正される。
【０００５】
しかしながら、特許文献１に記載の技術では、表示素子に印加する電圧が補正されるため、表示素子の透過率が変化し、所望の画像データに忠実な表示を行うことができない。
【先行技術文献】
【特許文献】
【０００６】
【特許文献１】特開２０１１−１７５１９９号公報
【発明の概要】
【発明が解決しようとする課題】
【０００７】
本発明は、所望の画像データにより忠実な表示を行うことができる技術を提供することを目的とする。
【課題を解決するための手段】
【０００８】
本発明の第１の態様は、
発光手段と、
表示画像データから複数のサブ画像データを生成する生成手段と、
前記発光手段からの光を前記サブ画像データに基づく透過率で透過することにより、当該サブ画像データに基づく画像を画面に表示する表示手段と、
前記発光手段の発光色を制御する制御手段と、
を有し、
前記表示画像データの複数の画素のそれぞれは、第１の色を有する第１サブピクセルと、前記第１の色とは異なる第２の色を有する第２サブピクセルとを有し、
前記表示手段は、前記表示画像データの複数の第１サブピクセルに対応する複数の第１表示素子と、前記表示画像データの複数の第２サブピクセルに対応する複数の第２表示素子とを有し、
前記生成手段は、
各第１サブピクセルの階調値が前記表示画像データの階調値と略同一であり、且つ、各第２サブピクセルの階調値が、周囲の第１サブピクセルの階調値の最大値と、周囲の第１サブピクセルの階調値の最小値との間の値である画像データを、第１サブ画像データとして生成し、
各第２サブピクセルの階調値が前記表示画像データの階調値と略同一であり、且つ、各第１サブピクセルの階調値が、周囲の第２サブピクセルの階調値の最大値と、周囲の第２サブピクセルの階調値の最小値との間の値である画像データを、第２サブ画像データとして生成し、
前記表示手段は、前記第１サブ画像データに基づく画像と、前記第２サブ画像データに基づく画像とを順に表示し、
前記制御手段は、
前記表示手段が前記第１サブ画像データに基づく画像を表示する際に、前記発光手段の発光色を前記第１の色に制御し、
前記表示手段が前記第２サブ画像データに基づく画像を表示する際に、前記発光手段の発光色を前記第２の色に制御する
ことを特徴とする画像表示装置である。
【０００９】
本発明の第２の態様は、
発光手段と、
前記発光手段からの光を画像データに基づく透過率で透過することにより、当該画像データに基づく画像を画面に表示する表示手段と、
を有する画像表示装置の制御方法であって、
表示画像データから複数のサブ画像データを生成する生成ステップと、
前記発光手段の発光色を制御する制御ステップと、
を有し、
前記表示画像データの複数の画素のそれぞれは、第１の色を有する第１サブピクセルと、前記第１の色とは異なる第２の色を有する第２サブピクセルとを有し、
前記表示手段は、
前記表示画像データの複数の第１サブピクセルに対応する複数の第１表示素子と、前記表示画像データの複数の第２サブピクセルに対応する複数の第２表示素子とを有し、
前記発光手段からの光を前記サブ画像データに基づく透過率で透過することにより、当該サブ画像データに基づく画像を前記画面に表示し、
前記生成ステップでは、
各第１サブピクセルの階調値が前記表示画像データの階調値と略同一であり、且つ、各第２サブピクセルの階調値が、周囲の第１サブピクセルの階調値の最大値と、周囲の第１サブピクセルの階調値の最小値との間の値である画像データを、第１サブ画像データとして生成し、
各第２サブピクセルの階調値が前記表示画像データの階調値と略同一であり、且つ、各第１サブピクセルの階調値が、周囲の第２サブピクセルの階調値の最大値と、周囲の第２サブピクセルの階調値の最小値との間の値である画像データを、第２サブ画像データとして生成し、
前記表示手段は、前記第１サブ画像データに基づく画像と、前記第２サブ画像データに基づく画像とを順に表示し、
前記制御ステップでは、
前記表示手段が前記第１サブ画像データに基づく画像を表示する際に、前記発光手段の発光色を前記第１の色に制御し、
前記表示手段が前記第２サブ画像データに基づく画像を表示する際に、前記発光手段の発光色を前記第２の色に制御する
ことを特徴とする画像表示装置の制御方法である。
【００１０】
本発明の第３の態様は、上述した制御方法の各ステップをコンピュータに実行させることを特徴とするプログラムである。
【発明の効果】
【００１１】
本発明によれば、所望の画像データにより忠実な表示を行うことができる。
【図面の簡単な説明】
【００１２】
【図１】実施例１に係る液晶表示装置の構成の一例を示すブロック図
【図２】実施例１に係る表示素子の配置の一例を示す図
【図３】実施例１に係る液晶表示装置の処理フローの一例を示すフローチャート
【図４】実施例１により解決される課題の一例を示す図
【図５】実施例１により得られる効果の一例を示す図
【図６】実施例２に係る液晶表示装置の構成の一例を示すブロック図
【図７】実施例２に係る液晶表示装置の処理フローの一例を示すフローチャート
【発明を実施するための形態】
【００１３】
＜実施例１＞
以下、本発明の実施例１について説明する。なお、以下では、本実施例に係る画像表示装置が透過型の液晶表示装置である場合の例を説明するが、本実施例に係る画像表示装置は透過型の液晶表示装置に限らない。本実施例に係る画像表示装置は、発光部と、発光部からの光を画像データに基づく透過率で透過することにより画面に画像を表示する表示部と、を有する画像表示装置であればよい。例えば、本実施例に係る画像表示装置は、反射型の液晶表示装置であってもよい。また、本実施例に係る画像表示装置は、表示素子としてＭＥＭＳ（Ｍｉｃｒｏ  Ｅｌｅｃｔｒｏ  Ｍｅｃｈａｎｉｃａｌ  Ｓｙｓｔｅｍ）シャッターを用いたＭＥＭＳシャッター方式表示装置であってもよい。
【００１４】
まず、図１を用いて、本実施例に係る液晶表示装置１００の構成について説明する。図１は、液晶表示装置１００の構成の一例を示すブロック図である。液晶表示装置１００は、画像入力部１０１、サブフレーム生成部１０２、サブフレーム補正部１０３、液晶パネル駆動部１０４、液晶パネル１０５、バックライト駆動部１０６、及び、バックライトモジュール１０７を有する。
【００１５】
バックライトモジュール１０７は、液晶パネル１０５の背面に光を照射する発光部である。本実施例では、バックライトモジュール１０７の発光色が変更可能であり、バックライトモジュール１０７の発光色を第１の色や第２の色に制御することができる。具体的には、バックライトモジュール１０７は、赤色の光を発するＲ光源、緑色の光を発するＧ光源、及び、青色の光を発するＢ光源を有する。赤色、緑色、及び、青色のいずれか２色が、第１の色と第２の色である。Ｒ光源のみを点灯させることにより、バックライトモジュール１０７の発光色が赤色に制御される。Ｇ光源のみを点灯させることにより、バックライトモジュール１０７の発光色が緑色に制御される。そして、Ｂ光源のみを点灯させることにより、バックライトモジュール１０７の発光色が青色に制御される。バックライトモジュール１０７の光源としては、発光ダイオード（ＬＥＤ）、有機ＥＬ素子、冷陰極管、等を使用することができる。
【００１６】
なお、バックライトモジュール１０７は、画面と略平行な面上に複数の光源が配置された直下型のバックライトモジュールであってもよいし、そうでなくてもよい。例えば、バックライトモジュール１０７として、エッジライト（サイドライト）型のバックライトモジュールが使用されてもよい。
【００１７】
なお、第１の色と第２の色は特に限定されない。例えば、第１の色または第２の色として、黄色が使用されてもよい。バックライトモジュール１０７は、Ｒ光源、Ｇ光源、及び、Ｂ光源の少なくともいずれかを有していなくてもよいし、他の色（例えば、黄色、白色、等）の光を発する光源を有していてもよい。バックライトモジュール１０７の発光色の制御方法は特に限定されない。例えば、Ｒ光源とＧ光源を点灯させることにより、バックライトモジュール１０７の発光色が黄色に制御されてもよい。光源からの光が通るカラーフィルタを設け、カラーフィルタを変更することにより、バックライトモジュール１０７の発光色が変更されてもよい。
【００１８】
液晶パネル１０５は、バックライトモジュール１０７からの光を画像データに基づく透過率で透過することにより、当該画像データに基づく画像を画面に表示する表示部である。
【００１９】
画像入力部１０１は、不図示の外部装置から画像データ（表示画像データ）を取得し、取得した表示画像データをサブフレーム生成部１０２に出力する。画像入力部１０１は、フレーム単位で表示画像データを取得され、フレーム単位で表示画像データを出力する。本実施例では、画像入力部１０１は、ＳＭＰＴＥ（Ｓｏｃｉｅｔｙ  ｏｆ  Ｍｏｔｉｏｎ
Ｐｉｃｔｕｒｅ  ａｎｄ  Ｔｅｌｅｖｉｓｉｏｎ  Ｅｎｇｉｎｅｅｒｓ）の規格に準拠したＳＤＩ信号（Ｓｅｒｉａｌ  Ｄｉｇｉｔａｌ  Iｎｔｅｒｆａｃｅ信号）を外部装置
から取得する。そして、画像入力部１０１は、外部装置から取得したシリアルデータ（ＳＤＩ信号）をパラレルデータに変換し、得られたパラレルデータをサブフレーム生成部１０２に出力する。上述したシリアルデータとパラレルデータは、いずれも、表示画像データである。
【００２０】
本実施例では、表示画像データの複数の画素のそれぞれは、第１の色を有する第１サブピクセルと、第１の色とは異なる色を有する第２サブピクセルとを有する。具体的には、表示画像データの複数の画素のそれぞれは、赤色を有するＲサブピクセル、緑色を有するＧサブピクセル、及び、青色を有するＢサブピクセルを有する。そして、本実施例では、上述したパラレルデータとして、Ｒサブピクセルの階調値（Ｒ値）、Ｇサブピクセルの階調値（Ｇ値）、及び、Ｂサブピクセルの階調値（Ｂ値）のそれぞれが８ビットの値（０〜２５５）であるデータが生成される。
【００２１】
なお、表示画像データのデータフォーマットは特に限定されない。例えば、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）、ＤｉｓｐｌａｙＰｏｒｔ、等の規格に準拠した信号が、表示画像データとして外部装置から取得されてもよい。表示用画像データの画素は、Ｒサブピクセル、Ｇサブピクセル、及び、Ｂサブピクセルの少なくともいずれかを含んでいなくてもよいし、他の色（例えば黄色）を有するサブピクセルを含んでいてもよい。階調値のビット数は８ビットより多くても少なくてもよい。
【００２２】
なお、表示画像データは、ケーブルを用いて取得されてもよいし、無線で取得されてもよい。ケーブルを用いて表示画像データが取得される場合には、画像入力部１０１として、ケーブルが接続される入力端子を使用することができる。無線で表示画像データが取得される場合には、画像入力部１０１として、無線通信を行う通信部（通信回路）を使用することができる。階調値は、サブピクセルの明るさを示す。
【００２３】
なお、表示画像データは、外部装置から取得された画像データ、すなわち液晶表示装置１００に入力された画像データ（入力画像データ）に限られない。例えば、表示画像データは、入力画像データに所定の画像処理（輝度調整処理、色調整処理、ぼかし処理、エッジ強調処理、等）を施すことによって得られた画像データであってもよい。
【００２４】
サブフレーム生成部１０２は、画像入力部１０１から表示画像データを取得する。サブフレーム生成部１０２は、取得した表示画像データ（１フレーム分の表示画像データ）から、複数のサブフレームにそれぞれ対応する複数のサブ画像データを生成する。そして、サブフレーム生成部１０２は、生成した複数のサブ画像データをサブフレーム補正部１０３に順番に出力する。また、サブフレーム生成部１０２は、サブ画像データ、サブ画像データを表示するタイミング、サブ画像データを表示する期間、等に関するタイミング情報を、サブフレーム補正部１０３とバックライト駆動部１０６に出力する。サブフレーム生成部１０２は、上記処理を実現するために、１フレーム分の表示画像データを記憶する記憶部を有する。記憶部としては、例えば、ＲＡＭ等のフレームメモリを使用することができる。
【００２５】
具体的には、サブフレーム生成部１０２は、Ｒサブフレームに対応するＲサブ画像データ、Ｇサブフレームに対応するＧサブ画像データ、及び、Ｂサブフレームに対応するＢサブ画像データを、表示画像データから生成する。ＲサブフレームとＲサブ画像データは赤色に対応し、ＧサブフレームとＧサブ画像データは緑色に対応し、ＢサブフレームとＢサブ画像データは青色に対応する。サブフレーム生成部１０２は、Ｒサブ画像データをサブフレーム補正部１０３に出力する際に、当該Ｒサブ画像データのタイミング情報であるＲタイミング情報をサブフレーム補正部１０３とバックライト駆動部１０６に出力する。サブフレーム生成部１０２は、Ｇサブ画像データをサブフレーム補正部１０３に出力する際に、当該Ｇサブ画像データのタイミング情報であるＧタイミング情報をサブフレーム補正部１０３とバックライト駆動部１０６に出力する。そして、サブフレーム生成部１０２は、Ｂサブ画像データをサブフレーム補正部１０３に出力する際に、当該Ｂサブ画像データのタイミング情報であるＲタイミング情報をサブフレーム補正部１０３とバックライト駆動部１０６に出力する。
【００２６】
Ｒサブ画像データのＲ値は表示画像データのＲ値と略同一であり、Ｇサブ画像データのＧ値は表示画像データのＧ値と略同一であり、Ｂサブ画像データのＢ値は表示画像データのＢ値と略同一である。本実施例において、「略同一」は「完全同一」を含む。Ｒサブ画像データの生成方法は、特に限定されない。例えば、表示画像データからＲ値のみが抽出され、Ｒ値は表示画像データのＲ値と完全同一であり、且つ、Ｇ値とＢ値が所定値（例えば０）である画像データが、Ｒサブ画像データとして生成されてもよい。表示画像データと完全同一の画像データが、Ｒサブ画像データとして生成されてもよい。同様に、Ｇサブ画像データの生成方法、及び、Ｂサブ画像データの生成方法も、特に限定されない。Ｒサブ画像データのＲ値は表示画像データのＲ値と完全に一致していなくてもよい。Ｇサブ画像データのＧ値は表示画像データのＧ値と完全に一致していなくてもよい。Ｂサブ画像データのＢ値は表示画像データのＢ値と完全に一致していなくてもよい。
【００２７】
サブフレーム補正部１０３は、サブフレーム生成部１０２から出力されたサブ画像データを補正し、補正後のサブ画像データを液晶パネル駆動部１０４に出力する。具体的には、サブフレーム補正部１０３は、サブフレーム生成部１０２からのタイミング情報に応じて、サブフレーム生成部１０２からのサブ画像データの種類を判別する。そして、サブフレーム補正部１０３は、判別した種類に基づいて、サブフレーム生成部１０２からのサブ画像データを補正する。サブフレーム補正部１０３としては、例えば、ＤＳＰを使用することができる。
【００２８】
本実施例では、サブフレーム補正部１０３は、補正前のＲサブ画像データのＲ値に基づいて、補正後のＲサブ画像データのＧ値とＢ値を決定する。具体的には、各Ｇサブピクセルの補正後の階調値（Ｇ値）として、周囲のＲサブピクセルの階調値（Ｒ値）の最大値と、周囲のＲサブピクセルの階調値の最小値との間の値が決定される。そして、各Ｂサブピクセルの補正後の階調値（Ｂ値）として、周囲のＲサブピクセルの階調値（Ｂ値）の最大値と、周囲のＲサブピクセルの階調値の最小値との間の値が決定される。そして、サブフレーム補正部１０３は、サブフレーム生成部１０２からのＲサブ画像データのＧ値とＢ値を上記決定したＧ値とＢ値に置き換えることにより、補正後のＲサブ画像データを生成する。
【００２９】
上記処理により、以下の３つの条件を満たす画像データが、補正後のＲサブ画像データとして生成される。
・各Ｒサブピクセルの階調値が表示画像データの階調値と略同一である。
・各Ｇサブピクセルの階調値が、周囲のＲサブピクセルの階調値の最大値と、周囲のＲサブピクセルの階調値の最小値との間の値である。
・各Ｂサブピクセルの階調値が、周囲のＲサブピクセルの階調値の最大値と、周囲のＲサブピクセルの階調値の最小値との間の値である。
【００３０】
本実施例では、周囲のＲサブピクセルの階調値の最大値と、周囲のＲサブピクセルの階調値の最小値との間の値として、周囲のＲサブピクセルの階調値の平均値が使用される。但し、周囲のＲサブピクセルの階調値の最大値と、周囲のＲサブピクセルの階調値の最小値との間の値は、特に限定されない。周囲のＲサブピクセルの階調値の最大値と、周囲のＲサブピクセルの階調値の最小値との間の値は、上記平均値より大きくても小さくてもよい。
【００３１】
サブフレーム補正部１０３は、同様の方法で、補正後のＧサブ画像データ、及び、補正後のＢ画像データを生成する。
【００３２】
それにより、以下の３つの条件を満たす画像データが、補正後のＧサブ画像データとして生成される。
・各Ｇサブピクセルの階調値が表示画像データの階調値と略同一である。
・各Ｒサブピクセルの階調値が、周囲のＧサブピクセルの階調値の最大値と、周囲のＧサブピクセルの階調値の最小値との間の値である。
・各Ｂサブピクセルの階調値が、周囲のＧサブピクセルの階調値の最大値と、周囲のＧサブピクセルの階調値の最小値との間の値である。
【００３３】
また、以下の３つの条件を満たす画像データが、補正後のＢサブ画像データとして生成される。
・各Ｂサブピクセルの階調値が表示画像データの階調値と略同一である。
・各Ｇサブピクセルの階調値が、周囲のＢサブピクセルの階調値の最大値と、周囲のＢサブピクセルの階調値の最小値との間の値である。
・各Ｒサブピクセルの階調値が、周囲のＢサブピクセルの階調値の最大値と、周囲のＢサブピクセルの階調値の最小値との間の値である。
【００３４】
なお、１つの機能部により、サブフレーム生成部１０２の処理と、サブフレーム補正部１０３の処理とが反映された複数のサブ画像データが生成されてもよい。
【００３５】
液晶パネル駆動部１０４は、サブフレーム補正部１０３から出力されたサブ画像データに基づいて、液晶パネル１０５の各表示素子を駆動する。それにより、バックライトモジ
ュール１０７からの光が、サブフレーム補正部１０３から出力されたサブ画像データに基づく透過率で液晶パネル１０５を通り、当該サブ画像データに基づく画像が画面に表示される。本実施例では、補正後のＲサブ画像データに基づく画像（Ｒ画像）、補正後のＧサブ画像データに基づく画像（Ｇ画像）、及び、補正後のＢサブ画像データに基づく画像（Ｂ画像）が順に表示される。
【００３６】
液晶パネル１０５は、表示画像データの複数の第１サブピクセルに対応する複数の第１表示素子と、表示画像データの複数の第２サブピクセルに対応する複数の第２表示素子とを有する。図２は、本実施例に係る表示素子の配置の一例を示す図である。図２に示すように、液晶パネル１０５は、表示画像データの複数のＲサブピクセルにそれぞれ対応する複数のＲ素子を有する。同様に、液晶パネル１０５は、表示画像データの複数のＧサブピクセルにそれぞれ対応する複数のＧ素子と、表示画像データの複数のＢサブピクセルにそれぞれ対応する複数のＢ素子とを有する。
【００３７】
Ｒ素子は、当該Ｒ素子に対応するＲサブピクセルの階調値に応じた透過率でバックライトモジュール１０７からの赤色の光を透過し、他の色の光を透過しない。Ｇ素子は、当該Ｇ素子に対応するＧサブピクセルの階調値に応じた透過率でバックライトモジュール１０７からの緑色の光を透過し、他の色の光を透過しない。そして、Ｂ素子は、当該Ｂ素子に対応するＢサブピクセルの階調値に応じた透過率でバックライトモジュール１０７からの青色の光を透過し、他の色の光を透過しない。例えば、Ｒ素子は、赤色の光のみを透過するカラーフィルタ（Ｒフィルタ）を有し、Ｇ素子は、緑色の光のみを透過するカラーフィルタ（Ｇフィルタ）を有し、Ｂ素子は、青色の光のみを透過するカラーフィルタ（Ｂフィルタ）を有する。なお、Ｒ素子は、赤色とは異なる色の光をわずかに透過してもよく、Ｇ素子は、緑色とは異なる色の光をわずかに透過してもよく、Ｂ素子は、青色とは異なる色の光をわずかに透過してもよい。
【００３８】
図２の例では、１つの画素について、Ｒ素子、Ｇ素子、及び、Ｂ素子が所定方向（水平方向）に並んでいる。そして、Ｒ素子、Ｇ素子、及び、Ｂ素子の組み合わせが、マトリクス状に並んでいる。本実施例では、第１サブピクセルの周囲の第２サブピクセルは、所定方向において当該第１サブピクセルに対応する第１表示素子を挟んで隣り合う２つの第２表示素子に対応する２つの第２サブピクセルである。そして、第２サブピクセルの周囲の第１サブピクセルは、所定方向において当該第２サブピクセルに対応する第２表示素子を挟んで隣り合う２つの第１表示素子に対応する２つの第１サブピクセルである。例えば、Ｒサブピクセルの周囲のＧサブピクセルは、所定方向において当該Ｒサブピクセルに対応するＲ素子を挟んで隣り合う２つのＧ素子に対応する２つのＧサブピクセルである。
【００３９】
なお、複数の表示素子の配置は特に限定されない。例えば、所定方向として、水平方向ではなく、垂直方向が使用されてもよい。Ｒ素子の位置、Ｇ素子の位置、及び、Ｂ素子の位置が、三角形の頂点に配置されるように、１つの画素に対応するＲ素子、Ｇ素子、及び、Ｂ素子が配置されてもよい。また、第１サブピクセルの周囲の第２サブピクセル、及び、第２サブピクセルの周囲の第１サブピクセルも、特に限定されない。例えば、第１サブピクセルの周囲の第２サブピクセルとして、当該第１サブピクセルからの距離が閾値以下の第２サブピクセルが使用されてもよい。
【００４０】
バックライト駆動部１０６は、バックライトモジュール１０７を駆動し、バックライトモジュール１０７の発光色を制御する。本実施例では、バックライト駆動部１０６は、サブフレーム生成部１０２からのタイミング情報に応じて、表示対象のサブ画像データの種類を判別する。そして、バックライト駆動部１０６は、判別した種類に基づいて、バックライトモジュール１０７の発光色を制御する。具体的には、バックライト駆動部１０６は、Ｒ画像が表示される際に発光色を赤色に制御し、Ｇ画像が表示される際に発光色を緑色
に制御し、Ｂ画像が表示される際に青色に制御する。バックライトモジュール１０７の発光輝度は、例えば、基準輝度に制御される。本実施例では、バックライトモジュール１０７のＲ光源のみを基準輝度で点灯させ、且つ、バックライトモジュール１０７のＧ光源とＢ光源を消灯させることにより、バックライトモジュール１０７の発光色が赤色に制御される。バックライトモジュール１０７のＧ光源のみを基準輝度で点灯させ、且つ、バックライトモジュール１０７のＲ光源とＢ光源を消灯させることにより、バックライトモジュール１０７の発光色が緑色に制御される。そして、バックライトモジュール１０７のＢ光源のみを基準輝度で点灯させ、且つ、バックライトモジュール１０７のＲ光源とＧ光源を消灯させることにより、バックライトモジュール１０７の発光色が青色に制御される。
【００４１】
なお、基準輝度の値は、メーカーによって予め定められた固定値であってもよいし、ユーザが変更可能な値であってもよい。また、基準輝度の値は、表示画像データの種類、液晶表示装置１００の設置環境、液晶表示装置１００の動作モード、等に応じて自動で決定および変更される値であってもよい。赤色、緑色、及び、青色の３色にそれぞれ対応する３つの基準輝度が使用されてもよいし、当該３色に共通の１つの基準輝度が使用されてもよい。上記３つの基準輝度は、例えば、Ｒ光源の基準輝度、Ｇ光源の基準輝度、及び、Ｂ光源の基準輝度である。
【００４２】
次に、図３を用いて、液晶表示装置１００の処理フローについて説明する。図３は、液晶表示装置１００の処理フローの一例を示すフローチャートである。図３は、１フレーム分の表示画像データについての処理フローを示す。図３の処理フローは、例えば、液晶表示装置１００が起動したタイミングで開始される。
【００４３】
まず、Ｓ１００にて、画像入力部１０１が、１フレーム分の表示画像データを外部装置から取得し、取得した表示画像データをサブフレーム生成部１０２に出力する。上述したように、本実施例では、シリアルデータが取得され、各画素値が８ビットのＲＧＢ値（８ビットのＲ値、８ビットのＧ値、及び、８ビットのＢ値の組み合わせ）であるパラレルデータが出力される。
【００４４】
次に、Ｓ１０１にて、サブフレーム生成部１０２が、サブフレーム生成部１０２が有するフレームメモリに、Ｓ１００で取得された表示画像データを書き込む。
【００４５】
そして、Ｓ１０２にて、サブフレーム生成部１０２が、Ｓ１００で取得された表示画像データをフレームメモリから読み出し、読み出した表示画像データから、Ｒサブ画像データ、Ｇサブ画像データ、及び、Ｂサブ画像データの３つのサブ画像データを生成する。そして、サブフレーム生成部１０２は、生成した３つのサブ画像データをサブフレーム補正部１０３に順番に出力する。また、サブフレーム生成部１０２は、タイミング情報をサブフレーム補正部１０３とバックライト駆動部１０６に出力する。
【００４６】
具体的には、サブフレーム生成部１０２は、フレームメモリから表示画像データのＲ値を読み出し、読み出したＲ値を有する画像データをＲサブ画像データとしてサブフレーム補正部１０３に出力する。このとき、サブフレーム生成部１０２は、Ｒタイミング情報２’ｂ００をサブフレーム補正部１０３とバックライト駆動部１０６に出力する。
【００４７】
次に、サブフレーム生成部１０２は、フレームメモリから表示画像データのＧ値を読み出し、読み出したＧ値を有する画像データをＧサブ画像データとしてサブフレーム補正部１０３に出力する。このとき、サブフレーム生成部１０２は、Ｇタイミング情報２’ｂ０１をサブフレーム補正部１０３とバックライト駆動部１０６に出力する。
【００４８】
そして、サブフレーム生成部１０２は、フレームメモリから表示画像データのＢ値を読
み出し、読み出したＢ値を有する画像データをＢサブ画像データとしてサブフレーム補正部１０３に出力する。このとき、サブフレーム生成部１０２は、Ｂタイミング情報２’ｂ１０をサブフレーム補正部１０３とバックライト駆動部１０６に出力する。
【００４９】
また、サブフレーム生成部１０２は、ブランキング期間が識別可能となるように、サブ画像データの出力が完了してから次のサブ画像データの出力が開始するまでの期間に、タイキング情報としてブランキング情報２’ｂ１１を出力する。
【００５０】
なお、本実施例では、タイミング情報のビット数が２ビットである場合の例を示したが、タイミング情報は特に限定されない。タイミング情報のビット数は２ビットより多くても少なくてもよい。
【００５１】
次に、Ｓ１０３にて、サブフレーム補正部１０３とバックライト駆動部１０６が、サブフレーム生成部１０２から出力されたタイミング情報がＲタイミング情報２’ｂ００であるか否かを判断する。即ち、表示対象のサブ画像データがＲサブ画像データであるか否か、現在の期間がＲサブフレームの表示期間に対応する期間であるか否か、等が判断される。サブフレーム生成部１０２から出力されたタイミング情報がＲタイミング情報２’ｂ００である場合には、Ｓ１０４へ処理が進められ、それ以外の場合には、Ｓ１０６へ処理が進められる。
【００５２】
Ｓ１０４にて、サブフレーム補正部１０３が、サブフレーム生成部１０２から出力されたＲサブ画像データを補正し、補正後のＲサブ画像データを液晶パネル駆動部１０４に出力する。液晶パネル駆動部１０４は、補正後のＲサブ画像データに応じて液晶パネル１０５を駆動する。そして、Ｓ１０５にて、バックライト駆動部１０６が、バックライトモジュール１０７のＲ光源のみが点灯するように、バックライトモジュール１０７を駆動する。その後、Ｓ１１２へ処理が進められる。
【００５３】
Ｓ１０６にて、サブフレーム補正部１０３とバックライト駆動部１０６が、サブフレーム生成部１０２から出力されたタイミング情報がＧタイミング情報２’ｂ０１であるか否かを判断する。サブフレーム生成部１０２から出力されたタイミング情報がＧタイミング情報２’ｂ０１である場合には、Ｓ１０７へ処理が進められ、それ以外の場合には、Ｓ１０９へ処理が進められる。
【００５４】
Ｓ１０７にて、サブフレーム補正部１０３が、サブフレーム生成部１０２から出力されたＧサブ画像データを補正し、補正後のＧサブ画像データを液晶パネル駆動部１０４に出力する。液晶パネル駆動部１０４は、補正後のＧサブ画像データに応じて液晶パネル１０５を駆動する。そして、Ｓ１０８にて、バックライト駆動部１０６が、バックライトモジュール１０７のＧ光源のみが点灯するように、バックライトモジュール１０７を駆動する。その後、Ｓ１１２へ処理が進められる。
【００５５】
Ｓ１０９にて、サブフレーム補正部１０３とバックライト駆動部１０６が、サブフレーム生成部１０２から出力されたタイミング情報がＢタイミング情報２’ｂ１０であるか否かを判断する。サブフレーム生成部１０２から出力されたタイミング情報がＢタイミング情報２’ｂ１０である場合には、Ｓ１１０へ処理が進められ、それ以外の場合（タイミング情報がブランキング情報２’ｂ１１である場合）には、Ｓ１０３へ処理が戻される。
【００５６】
Ｓ１１０にて、サブフレーム補正部１０３が、サブフレーム生成部１０２から出力されたＢサブ画像データを補正し、補正後のＢサブ画像データを液晶パネル駆動部１０４に出力する。液晶パネル駆動部１０４は、補正後のＢサブ画像データに応じて液晶パネル１０５を駆動する。そして、Ｓ１１１にて、バックライト駆動部１０６が、バックライトモジ
ュール１０７のＢ光源のみが点灯するように、バックライトモジュール１０７を駆動する。その後、Ｓ１１２へ処理が進められる。
【００５７】
Ｓ１１２にて、サブフレーム生成部１０２は、フレームメモリから１フレーム分のデータ（１フレーム分のＲ値、１フレーム分のＧ値、及び、１フレーム分のＢ値の全て）が読み出されたか否かを判断する。即ち、Ｓ１０４、Ｓ１０５、Ｓ１０７、Ｓ１０８、Ｓ１１０、及び、Ｓ１１１の処理が行われたか否か、Ｒ画像、Ｇ画像、及び、Ｂ画像の全てが表示されたか否か、等が判断される。フレームメモリから１フレーム分のデータが読み出された場合には、本処理フローが終了される。フレームメモリから読み出されていないデータが存在する場合には、Ｓ１０３へ処理が戻される。
【００５８】
なお、上述した処理フローは、表示画像データの複数のフレームのそれぞれについて行われる。例えば、フレームメモリからの表示画像データの読み出し（Ｓ１０２）が開始されたタイミングで、次のフレームの表示画像データのフレームメモリへの書き込み（Ｓ１０１）が開始されるように、上述した処理フローが繰り返し行われる。それにより、表示画像データの複数のフレームにそれぞれ対応する複数の処理フローを連続して行うことができる。
【００５９】
次に、図４，５を用いて本実施例により得られる効果の具体例を説明する。図４は、本実施例を適用しない場合の各表示素子の動作例を示す。具体的には、図４は、表示画像データに応じて各表示素子が駆動される例を示す。図５は、本実施例を適用した場合の各表示素子の動作例を示す。具体的には、図５は、表示画像データから生成されたサブ画像データに応じて各表示素子が駆動される例を示す。図４，５は、マゼンタ色の画素と緑色の画素とが水平方向に交互に並んだ画像を表す表示画像データが使用された場合の例を示す。
【００６０】
表示画像データに応じて各表示素子が駆動される場合、表示素子とその周囲の表示素子との間において、階調値（表示素子に印加される電圧（印加電圧））の大きな差が生じることがある。例えば、図４に示すように、水平方向において互いに隣接する２つの表示素子間において、印加電圧の大きな差が生じることがある。このような印加電圧の大きな差は、表示素子間に発生する電界（横電界）の強度を増加させ、ディスクリネーション（液晶の配向乱れ）を発生しやすくする。そのため、表示画像データに応じて各表示素子が駆動される構成では、表示画像データに忠実な表示が行えないことがある。なお、表示素子間に発生する電界は、液晶パネルでの表示に限らず、他の表示パネル（表示部）での表示にも影響を与える。
【００６１】
一方、本実施例では、図５に示すように、表示画像データから、Ｒサブ画像データ、Ｇサブ画像データ、及び、Ｂサブ画像データが生成される。そして、Ｒ画像（Ｒサブ画像データに基づく画像）、Ｇ画像（Ｇサブ画像データに基づく画像）、及び、Ｂ画像（Ｂサブ画像データに基づく画像）が順番に表示される。
【００６２】
本実施例では、Ｒサブ画像データのＧ値とＢ値として、その周囲のＲ値の最大値と最小値の間の階調値が使用される。具体的には、図５に示すように、Ｒサブ画像データにおいて、画素のＧ値とＢ値として、その画素のＲ値と、当該画素の右に隣接する画素のＲ値との平均値が使用される。その結果、Ｒ画像を表示する場合において、表示素子とその周囲の表示素子との間における印加電圧の大きな差を、図４の場合の差に比べ小さい値に低減することができる。それにより、表示素子間に発生する横電界の強度の増加を抑制することができ、ディスクリネーションの発生を抑制することができる。Ｇ画像を表示する場合と、Ｂ画像を表示する場合とにおいても、同様の効果を得ることができる。
【００６３】
そして、本実施例では、ディスクリネーションの発生が抑制されるだけでなく、Ｒ画像を表示する際にバックライトモジュール１０７の発光色が赤色に制御されるため、Ｒ画像として、表示画像データの赤色成分がより忠実に表現された画像を表示できる。Ｇ画像を表示する際にバックライトモジュール１０７の発光色が緑色に制御されるため、Ｇ画像として、表示画像データの緑色成分がより忠実に表現された画像を表示できる。Ｂ画像を表示する際にバックライトモジュール１０７の発光色が青色に制御されるため、Ｂ画像として、表示画像データの青色成分がより忠実に表現された画像を表示できる。そして、これらのＲ画像、Ｇ画像、及び、Ｂ画像が順番に表示されることにより、表示画像データにより忠実な表示が実現される。具体的には、表示画像データに忠実な画像をユーザに知覚させることができる。
【００６４】
以上述べたように、本実施例によれば、所望の画像データにより忠実な表示を行うことができる。
【００６５】
＜実施例２＞
以下、本発明の実施例２について説明する。実施例１の第１サブ画像データでは、各第２サブピクセルの階調値として、周囲の第１サブピクセルの階調値の最大値と、周囲の第１サブピクセルの階調値の最小値との間の値が使用される。そして、実施例１の第２サブ画像データでは、各第１サブピクセルの階調値として、周囲の第２サブピクセルの階調値の最大値と、周囲の第２サブピクセルの階調値の最小値との間の値が使用される。
【００６６】
しかしながら、実施例１の方法を用いたとしても、表示素子とその周囲の表示素子との間において、階調値の大きな差が生じ、ディスクリネーションが発生することがある。ここで、第２サブピクセルの周囲の第１サブピクセルの階調値の最大値と、当該第２サブピクセルの周囲の第１サブピクセルの階調値の最小値との差が大きい場合を考える。このような場合に、実施例１の第１サブ画像データにおいて、第１サブピクセルの階調値と、その周囲の第２サブピクセルの階調値との大きな差が生じる。同様に、実施例１の第２サブ画像データにおいても、第１サブピクセルの階調値と、その周囲の第２サブピクセルの階調値との大きな差が生じることがある。
【００６７】
そこで、本実施例では、所望の画像データにより忠実な表示を実施例１よりも確実（高精度）に行うことができる例を説明する。なお、以下では、実施例１と異なる構成や処理について詳しく説明し、実施例１と同じ構成や処理についての説明は省略する。
【００６８】
まず、図６を用いて、本実施例に係る液晶表示装置２００の構成について説明する。図６は、液晶表示装置２００の構成の一例を示すブロック図である。液晶表示装置２００は、画像入力部１０１、サブフレーム生成部２０１、サブフレーム補正部１０３、液晶パネル駆動部１０４、液晶パネル１０５、バックライト駆動部２０２、及び、バックライトモジュール１０７を有する。図６において、実施例１（図１）と同じ機能部には、実施例１と同じ符号が付されている。以下、実施例１と異なる機能部について説明する。
【００６９】
サブフレーム生成部２０１は、画像入力部１０１から表示画像データを取得し、必要に応じて表示画像データを補正する。具体的には、以下の２つの条件が満たされていない場合に、以下の２つの条件が満たされるように、表示画像データが補正される。
・複数の第１サブピクセルのそれぞれについて、その第１サブピクセルの表示画像データの階調値と、周囲の第１サブピクセルの表示画像データの階調値との差が第１閾値以下である。
・複数の第２サブピクセルのそれぞれについて、その第２サブピクセルの表示画像データの階調値と、周囲の第２サブピクセルの表示画像データの階調値との差が第２閾値以下である。
【００７０】
その後、サブフレーム生成部２０１は、サブフレーム生成部２０１は、表示画像データを用いて、実施例１のサブフレーム生成部１０２と同様の処理を行う。表示画像データが補正された場合には、補正後の表示画像データを用いて、実施例１のサブフレーム生成部１０２と同様の処理が行われる。
【００７１】
上述した条件を満たすように表示画像データが補正された場合、表示画像データの階調値が低減されるため、表示輝度（画面上の輝度）が低下する。各表示素子の表示輝度は、階調値の増加に応じて増加するだけでなく、バックライトモジュール１０７の発光輝度の増加に応じて増加する。そこで、本実施例では、表示画像データの補正に起因した表示輝度の低下が抑制されるにように、バックライトモジュール１０７の発光輝度を高める。具体的には、サブフレーム生成部２０１は、バックライトモジュール１０７の発光輝度に関する情報である輝度情報を、バックライト駆動部２０２へ出力する。そして、バックライト駆動部２０２は、輝度情報に基づいて、バックライトモジュール１０７の発光輝度を制御する。それにより、表示画像データの補正に起因した表示輝度の低下が抑制されるにように、バックライトモジュール１０７の発光輝度が高められる。
【００７２】
バックライト駆動部２０２は、実施例１のバックライト駆動部１０６と同様の処理を行う。但し、上述したように、バックライト駆動部２０２は、サブフレーム生成部２０１から出力された輝度情報に基づいて、バックライトモジュール１０７の発光輝度を制御する。
【００７３】
本実施例では、第１サブピクセルと、その周囲の第１サブピクセルとの集合として、所定方向（水平方向）において隣り合う２つの画素が有する２つの第１サブピクセルを使用する。そして、第２サブピクセルと、その周囲の第２サブピクセルとの集合として、所定方向（水平方向）において隣り合う２つの画素が有する２つの第２サブピクセルを使用する。但し、上記第１サブピクセルの集合と、上記第２サブピクセルの集合とは、特に限定されない。例えば、所定方向として、水平方向ではなく、垂直方向が使用されてもよい。また、第１サブピクセルの周囲の第１サブピクセルとして、当該第１サブピクセルからの距離が閾値以下の第１サブピクセルが使用されてもよい。第２サブピクセルの周囲の第２サブピクセルとして、当該第２サブピクセルからの距離が閾値以下の第２サブピクセルが使用されてもよい。
【００７４】
なお、第１閾値と第２閾値は、メーカーによって予め定められた固定値であってもよいし、ユーザが変更可能な値であってもよい。また、第１閾値と第２閾値は、表示画像データの種類、液晶表示装置１００の設置環境、液晶表示装置１００の動作モード、等に応じて自動で決定および変更される値であってもよい。第１閾値が第２閾値と等しくてもよいし、第１閾値が第２閾値と異なっていてもよい。
【００７５】
次に、図７を用いて、液晶表示装置２００の処理フローについて説明する。図７は、液晶表示装置２００の処理フローの一例を示すフローチャートである。図７は、１フレーム分の表示画像データについての処理フローを示す。図７の処理フローは、例えば、液晶表示装置２００が起動したタイミングで開始される。なお、図７において、実施例１（図３）と同じ処理には、実施例１と同じ符号が付されている。以下、実施例１と異なる処理について説明する。
【００７６】
Ｓ１００の次に、Ｓ２００の処理が行われる。Ｓ２００にて、サブフレーム生成部２０１は、複数の画素ペアのそれぞれについて、表示画像データからＲ差、Ｇ差、及び、Ｂ差を算出する。そして、サブフレーム生成部２０１は、複数のＲ差の最大値を最大Ｒ差ｄｉｆｆＲとして、複数のＧ差の最大値を最大Ｇ差ｄｉｆｆＧとして、複数のＢ差の最大値を
最大Ｂ差ｄｉｆｆＢとして記憶する。その後、Ｓ１０１へ処理が進められる。
【００７７】
画素ペアは、水平方向において隣り合う２つの画素である。Ｒ差は、画素ペアに含まれる２つの画素の間のＲ値（表示画像データのＲ値）の差であり、Ｇ差は、画素ペアに含まれる２つの画素の間のＧ値の差であり、Ｂ差は、画素ペアに含まれる２つの画素の間のＢ値の差である。Ｒ差、Ｇ差、及び、Ｂ差は、いずれも、階調値から階調値を減算した値の絶対値（階調差）である。Ｒ差は、「ＲサブピクセルのＲ値と、当該Ｒサブピクセルの周囲のＲサブピクセルのＲ値との差」とも言える。Ｇ差とＢ差の定義についても、同様の表現を適用できる。
【００７８】
表示画像データの伝送方式がラスタースキャン方式である場合には、ｎ番目の画素の画素値が伝送された後、ｎ＋１番目の画度の画素値が伝送される。ｎ＋１番目の画素は、例えば、ｎ番目の画素に対して右側に隣接する画素である。そのため、その場合には、サブフレーム生成部２０１は、今回伝送されたＲ値を前回伝送されたＲ値から減算し、減算結果の絶対値を算出する。そして、サブフレーム生成部２０１は、算出された絶対値が最大Ｒ差ｄｉｆｆＲよりも大きい場合に、最大Ｒ差ｄｉｆｆＲの値を、算出された絶対値に更新する。これらの処理が繰り返されることにより、複数のＲ差の最大値が、最大Ｒ差ｄｉｆｆＲとして得られる。同様の方法で、最大Ｇ差ｄｉｆｆＧと最大Ｂ差ｄｉｆｆＢが得られる。
【００７９】
Ｓ１０１の次に、Ｓ２０１の処理が行われる。Ｓ２０１にて、サブフレーム生成部２０１は、最大Ｒ差ｄｉｆｆＲ、最大Ｇ差ｄｉｆｆＧ、及び、最大Ｂ差ｄｉｆｆＢの少なくともいずれかが閾値Ｒｅｆよりも大きいか否かを判断する。本実施例では、閾値Ｒｅｆとして、実施例１の方法で画質の劣化（ディスクリネーション）が発生しない階調差の最大値が使用される。最大Ｒ差ｄｉｆｆＲ、最大Ｇ差ｄｉｆｆＧ、及び、最大Ｂ差ｄｉｆｆＢの全てが閾値Ｒｅｆ以下である場合には、Ｓ１０２へ処理が進められる。最大Ｒ差ｄｉｆｆＲ、最大Ｇ差ｄｉｆｆＧ、及び、最大Ｂ差ｄｉｆｆＢの少なくともいずれかが閾値Ｒｅｆよりも大きい場合には、Ｓ２０２へ処理が進められる。
【００８０】
なお、最大Ｒ差ｄｉｆｆＲ、最大Ｇ差ｄｉｆｆＧ、及び、最大Ｂ差ｄｉｆｆＢと比較される１つの閾値、すなわち赤色、緑色、及び、青色の間で共通の１つの閾値が、閾値Ｒｅｆとして用意されてもよいし、そうでなくてもよい。例えば、最大Ｒ差ｄｉｆｆＲと比較される閾値、最大Ｇ差ｄｉｆｆＧと比較される閾値、及び、最大Ｂ差ｄｉｆｆＢと比較される閾値の３つの閾値が、閾値Ｒｅｆとして用意されてもよい。また、閾値Ｒｅｆは上記値に限らない。例えば、閾値Ｒｅｆとして、実施例１の方法で画質の劣化（ディスクリネーション）が発生しない階調差の最大値よりも小さい値が使用されてもよい。閾値Ｒｅｆは、メーカーによって予め定められた固定値であってもよいし、ユーザが変更可能な値であってもよい。また、閾値Ｒｅｆは、表示画像データの種類、液晶表示装置２００の設置環境、液晶表示装置２００の動作モード、等に応じて自動で決定および変更される値であってもよい。
【００８１】
Ｓ２０２にて、サブフレーム生成部２０１は、最大Ｒ差ｄｉｆｆＲ、最大Ｇ差ｄｉｆｆＧ、及び、最大Ｂ差ｄｉｆｆＢに基づいて係数を決定し、決定した係数を用いて表示画像データを補正する。具体的には、最大Ｒ差ｄｉｆｆＲが閾値Ｒｅｆよりも大きい場合には、サブフレーム生成部２０１は、係数ＲＣ＝Ｒｅｆ／ｄｉｆｆＲを決定し、表示画像データの各Ｒ値に係数ＲＣを乗算する。Ｒ値に係数ＲＣを乗算する処理は、「Ｒ値を係数ＲＣの逆数（ｄｉｆｆＲ／Ｒｅｆ）で除算する処理」とも言える。最大Ｇ差ｄｉｆｆＧが閾値Ｒｅｆよりも大きい場合には、サブフレーム生成部２０１は、係数ＧＣ＝Ｒｅｆ／ｄｉｆｆＧを決定し、表示画像データの各Ｇ値に係数ＧＣを乗算する。最大Ｂ差ｄｉｆｆＢが閾値Ｒｅｆよりも大きい場合には、サブフレーム生成部２０１は、係数ＢＣ＝Ｒｅｆ／ｄｉ
ｆｆＢを決定し、表示画像データの各Ｂ値に係数ＢＣを乗算する。その後、Ｓ２０３へ処理が進められる。
【００８２】
Ｓ２０３にて、サブフレーム生成部２０１は、Ｓ２０２で決定された係数に基づいて輝度情報を生成し、生成した輝度情報をバックライト駆動部２０２へ出力する。その後、Ｓ１０２へ処理が進められる。Ｓ２０２で表示画像データが補正された場合、Ｓ１０２にて、補正後の表示画像データからサブ画像データが生成される。
【００８３】
Ｓ２０３の処理について具体的に説明する。最大Ｒ差ｄｉｆｆＲが閾値Ｒｅｆよりも大きい場合には、サブフレーム生成部２０１は、係数ＲＣの逆数（ｄｉｆｆＲ／Ｒｅｆ）を、Ｒ輝度情報としてバックライト駆動部２０２へ出力する。Ｒ輝度情報は、赤色の光の発光輝度に関する輝度情報である。最大Ｒ差ｄｉｆｆＲが閾値Ｒｅｆ以下である場合には、サブフレーム生成部２０１は、Ｒ輝度情報として１をバックライト駆動部２０２へ出力する。
【００８４】
最大Ｇ差ｄｉｆｆＧが閾値Ｒｅｆよりも大きい場合には、サブフレーム生成部２０１は、係数ＧＣの逆数（ｄｉｆｆＧ／Ｒｅｆ）を、Ｇ輝度情報としてバックライト駆動部２０２へ出力する。Ｇ輝度情報は、緑色の光の発光輝度に関する輝度情報である。最大Ｇ差ｄｉｆｆＧが閾値Ｒｅｆ以下である場合には、サブフレーム生成部２０１は、Ｇ輝度情報として１をバックライト駆動部２０２へ出力する。
【００８５】
最大Ｂ差ｄｉｆｆＢが閾値Ｒｅｆよりも大きい場合には、サブフレーム生成部２０１は、係数ＢＣの逆数（ｄｉｆｆＢ／Ｒｅｆ）を、Ｂ輝度情報としてバックライト駆動部２０２へ出力する。Ｂ輝度情報は、青色の光の発光輝度に関する輝度情報である。最大Ｂ差ｄｉｆｆＢが閾値Ｒｅｆ以下である場合には、サブフレーム生成部２０１は、Ｂ輝度情報として１をバックライト駆動部２０２へ出力する。
【００８６】
なお、本実施例では、最大Ｒ差ｄｉｆｆＲ、最大Ｇ差ｄｉｆｆＧ、及び、最大Ｂ差ｄｉｆｆＢの少なくともいずれかが閾値Ｒｅｆよりも大きい場合に限ってＳ２０２とＳ２０３の処理が行われる例を示したが、これに限らない。例えば、最大Ｒ差ｄｉｆｆＲ、最大Ｇ差ｄｉｆｆＧ、及び、最大Ｂ差ｄｉｆｆＢの少なくともいずれかが閾値Ｒｅｆよりも大きいか否かに拘らず、Ｓ２０２とＳ２０３の処理が行われてもよい。また、本実施例では、階調差が閾値Ｒｅｆよりも大きい場合に限って、係数の決定と階調値の補正とが行われる例を示したが、これに限らない。例えば、最大Ｒ差ｄｉｆｆＲが閾値Ｒｅｆ以下である場合に、係数ＲＣ＝１が決定され、表示画像データの各Ｒ値に係数ＲＣが乗算されてもよい。
【００８７】
Ｓ１０４の次に、Ｓ２０４の処理が行われる。Ｓ２０４にて、バックライト駆動部１０６が、バックライトモジュール１０７のＲ光源のみが点灯するように、バックライトモジュール１０７を駆動する。サブフレーム生成部２０１からＲ輝度情報が出力された場合には、基準輝度にＲ輝度情報（係数ＲＣの逆数）を乗算した発光輝度でＲ光源が点灯するように、バックライトモジュール１０７が駆動される。サブフレーム生成部２０１からＲ輝度情報が出力されなかった場合には、基準輝度でＲ光源が点灯するように、バックライトモジュール１０７が駆動される。その後、Ｓ１１２へ処理が進められる。
【００８８】
Ｓ１０７の次に、Ｓ２０５の処理が行われる。Ｓ２０５にて、バックライト駆動部１０６が、バックライトモジュール１０７のＧ光源のみが点灯するように、バックライトモジュール１０７を駆動する。サブフレーム生成部２０１からＧ輝度情報が出力された場合には、基準輝度にＧ輝度情報（係数ＧＣの逆数）を乗算した発光輝度でＧ光源が点灯するように、バックライトモジュール１０７が駆動される。サブフレーム生成部２０１からＧ輝
度情報が出力されなかった場合には、基準輝度でＧ光源が点灯するように、バックライトモジュール１０７が駆動される。その後、Ｓ１１２へ処理が進められる。
【００８９】
Ｓ１１０の次に、Ｓ２０６の処理が行われる。Ｓ２０６にて、バックライト駆動部１０６が、バックライトモジュール１０７のＢ光源のみが点灯するように、バックライトモジュール１０７を駆動する。サブフレーム生成部２０１からＢ輝度情報が出力された場合には、基準輝度にＢ輝度情報（係数ＢＣの逆数）を乗算した発光輝度でＢ光源が点灯するように、バックライトモジュール１０７が駆動される。サブフレーム生成部２０１からＢ輝度情報が出力されなかった場合には、基準輝度でＢ光源が点灯するように、バックライトモジュール１０７が駆動される。その後、Ｓ１１２へ処理が進められる。
【００９０】
以上述べたように、本実施例によれば、表示画像データの階調差（Ｒ差、Ｇ差、及び、Ｂ差）が、閾値以下の値に制限される。それにより、表示素子とその周囲の表示素子との間における階調値の大きな差の発生をより確実に抑制することができ、画質の劣化（ディスクリネーション）の発生をより確実に抑制することができる。そして、本実施例によれば、表示画像データの補正に起因した表示輝度の低下が抑制されるように、バックライトモジュールの発光輝度が高められる。それにより、所望の画像データにより忠実な表示をより確実に行うことができる。
【００９１】
なお、本実施例では、階調値に係数を乗算する処理により表示画像データが補正される例を説明したが、表示画像データの補正方法は特に限定されない。例えば、表示画像データを補正する処理は、階調値にオフセット値を加算する処理を含んでいてもよい。表示画像データを補正する処理は、階調値に係数を乗算する処理を含んでいなくてもよい。
【００９２】
また、本実施例では、基準輝度に係数を乗算する処理によりバックライトモジュールの発光輝度が制御される例を説明したが、発光輝度の制御方法は特に限定されない。例えば、発光輝度を制御する処理は、基準輝度にオフセット値を加算する処理を含んでいてもよい。発光輝度を制御する処理は、基準輝度に係数を乗算する処理を含んでいなくてもよい。
【００９３】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００９４】
１００，２００：液晶表示装置  １０２，２０１：サブフレーム生成部
１０３：サブフレーム補正部  １０５：液晶パネル
１０６，２０２：バックライト駆動部  １０７：バックライトモジュール
【図１】
2017102241.tif 000003
【図２】
2017102241.tif 000004
【図３】
2017102241.tif 000005
【図４】
2017102241.tif 000006
【図５】
2017102241.tif 000007
【図６】
2017102241.tif 000008
【図７】
2017102241.tif 000009